Podtech/llm-jp-corpus-v4-ja_patent huggingface dataset:
(57)【要約】      （修正有）【課題】身体の自由を奪われても防犯ブザーを発動させる機能を提供する。【解決手段】防犯ブザーのスイッチを手袋に取り付けることにより不意に襲われてもスイッチを発動させることが出来る。また、身体の自由を奪われても親指と小指が可動可能ならば防犯ブザーを鳴動させることが出来る。さらに、防犯ブザー部をスイッチ部と分離させ、身体又は衣服に取り付けることにより犯人に奪われることを防止する。【選択図】図１
2010231750.tif 000002
【特許請求の範囲】
【請求項１】
手袋の親指部分と小指部分に通電性のシートを張り付け、手袋手首部分に電波発生装置、ブザー本体部分に電波受信装置を取り付けてあることを特徴とする携帯防犯ブザー。
【請求項２】
手袋の親指部分と小指部分に取り付けたシートを接触させる行為が手袋手首部分に取り付けた電波発生装置を発信させるスイッチとなり、電波を発信させるとブザー本体部電波受信装置に電波を受信し、防犯ブザーの警報音を発生することを特徴とする防犯ブザー。
【請求項３】
手袋に取り付けたスイッチ部分と防犯ブザー発生装置が分離されていることを特徴とする防犯ブザー。
【発明の詳細な説明】
【技術の分野】
【００１】  本発明は、非常事態を周囲の人々に知らせるとともに、犯人などを威嚇する携帯用防犯ブザーに関するものである。
【背景技術】
【００２】  近年、治安の悪化により凶悪事件が多発しているため、携帯用防犯ブザーの重要性が高まっている。
通常、携帯用防犯ブザーとしては、ブザー本体にスイッチが設けられており、緊急時にこのスイッチを引き抜くと、警報音が発せられ、非常事態を知られるものが用いられている。（特許文献１参照）
【先行技術文献】
【特許文献】
【００３】
【特許文献１】特開  ２００８−１３９９３９号公報
【発明の概要】
【発明が解決しようとする課題】
【００４】  従来の防犯ブザーは図２に示すように、防犯ブザー本体又は本体キーに触れることにより、警報音を発生し非常事態を知られるものが一般的に用いられている。
しかしながら、以上の技術によれば、危害を加えようとする他人に脅され身体の自由を奪われれば防犯ブザーの機能を使用出来なかった。
そこで、この発明は、身体の自由を奪われても防犯ブザーを発動させる機能を提供することを課題とする。
【課題を解決するための手段】
【００５】  以上の課題を解決するために、本発明は、手袋の親指先端部分と小指先端部分に通電性のあるシートを貼り、通電性のシートを接触させると手袋手首部分に設置した電波発生装置が作動し、電波を発信する。発信した電波は防犯ブザー本体受信部に受信し、本体部ブザーは電波を受信することにより警報音を発生することを特徴とする防犯ブザーである。
【発明の効果】
【００６】  本発明によれば、危害を加えようとする他人に脅され身体の自由を奪われても、手袋の親指部分と小指部分が可動可能であれば防犯ブザーの機能を使用出来る。
また、手袋部分より電波を発信し、ブザー本体部で受信することにより、ブザー本体部を分離可能とし、ブザー本体部を所持者の任意の場所に取り付けることが可能となる。
【図面の簡単な説明】
【図１】この発明の一実施形態を示す斜視図である。
【図２】従来技術を示す斜視図である。
【発明を実施するための形態】
【００７】  この発明の一実施形態を図１に示す。
手袋の親指先端部と小指先端部に通電性のあるシートを接着剤で張り付ける。親指と小指部分に取り付けた通電性のシートを通電性のあるケーブルで手袋手首部分に取り付けた電波発生装置に繋ぎ留め、親指部分と小指部分の通電性のシートが接触した時、電波発生装置が通電状態となり電波を発信する。
また、電波は０ｃｍから５００ｃｍの範囲で送受信出来るものとする。
ブザー本体部には電源スイッチを設置し電源スイッチをＯＮ状態にすると装置の電源が入るものとする。
また、電波受信用装置を取り付け、電波が受信出来る仕組みとし、電波を受信したことで警報音を発生する仕組みとする。
また、ブザー本体部にはブザー発生装置を取り付け、ブザーが発生した場合には本体部電源スイッチをＯＦＦにすることによりブザーを停止させることが出来る仕組みとする。
【符号の説明】
【００８】Ａ  手袋型防犯ブザー
１  手袋
２  親指先端部通電性シート
３  小指先端部通電性シート
４  親指先端部と電波発信機を繋ぐケーブル
５  子指先端部と電波発信機を繋ぐケーブル
６  電波発信装置
７  電波発信機より出力された電波
８  電波受信装置
９  防犯ブザー本体電源スイッチ
１０  防犯ブザー鳴動部スピーカー
１１  ケーブル留め
Ｂ  従来の防犯ブザー
１  防犯ブザー鳴動部スピーカー
２  引きスイッチ
【図１】
2010231750.tif 000003
【図２】
2010231750.tif 000004
(57)【要約】      （修正有）【課題】満足した音量とともに演奏の音質を改善した、管楽器、特にハーモニカ用のコームを提供する。【解決手段】チャネルを形成する複数の空洞２を有する管楽器、特に、ハーモニカ用のコーム１であって、前記コーム１は、一緒に接着された複数の薄く細長い片３から構成され、前記薄く細長い片３は、縦方向の寸法４を前記コーム１の幅に沿って延ばし、竹材から切断され、前記縦方向の寸法４が、どのような場合でも、木目の方向６の配列に従うように一緒に接合されている。【選択図】図１
2010231204.tif 000002
【特許請求の範囲】
【請求項１】
チャネルを形成する複数の空洞（２）を有する管楽器、特に、ハーモニカ用のコーム（１）であって、
前記コーム（１）は、互いに接着された複数の薄く細長い片（３）から構成され、前記薄く細長い片は、縦方向の寸法（４）を前記コーム（１）の幅（５）に沿って延ばし、竹材から切断され、前記薄く細長い片（３）の前記縦方向の寸法（４）が、どのような場合でも、木目の方向の配列（６）に従うように一緒に接合されていることを特徴とするコーム。
【請求項２】
請求項１のコーム（１）であって、
前記薄く細長い片（３）の前記縦方向の寸法（４）は、前記コーム（１）の幅（５）に適合していることを特徴とするコーム。
【請求項３】
請求項１または２のコーム（１）であって、
前記薄く細長い片（３）は、層状に重ね合わされていることを特徴とするコーム。
【請求項４】
請求項３のコーム（１）であって、
前記コームは、前記薄く細長い片（３）の４〜６層からなる深さ（７）を有することを特徴とするコーム。
【請求項５】
請求項１〜４のいずれか１項のコーム（１）であって、
前記薄く細長い片（３）は、水平方向に一緒に接着されていることを特徴とするコーム。
【請求項６】
請求項５のコーム（１）であって、
前記薄く細長い片（３）は、圧力嵌合によって一緒に接着されていることを特徴とするコーム。
【請求項７】
請求項１〜６のいずれか１項のコーム（１）であって、
前記コームは、ラッカーで塗布されていることを特徴とするコーム。
【発明の詳細な説明】
【技術分野】
【０００１】
本発明は、管楽器、特に、請求項１の前文のハーモニカ用のコームに関する。
【背景技術】
【０００２】
管楽器用、特にハーモニカ用の木製のコームを作製することは公知である。楽器演奏者によってコームに吸引され、リードの振動をコームに伝えることを目的とする呼吸空気は、唾液、痰、または食べカスからなる成分を含む。
【発明の概要】
【発明が解決しようとする課題】
【０００３】
ＤＥ２０２００６００８２０７Ｕ１に開示されているように、呼吸空気に含まれる成分により、木製のコームはもろくなる。これは、一方では、衛生状態に関する問題があり、他方では、音の再生に関するハーモニカの変わった挙動を導く。したがって、ＤＥ２０２００６００８２０７Ｕ１には、ガラスを材料とするコームを作製することが開示されている。これにより、例えば、皿洗い機の中でコームを洗浄する可能性がある。ガラスで作製された単独の部品としてのコームのデザインに加え、コームはまた、層状の構成をとることもできる。しかしながら、このような管楽器の音楽的特性は、演奏者にとっては満足できるものとはみなされないという欠点がある。
したがって、本発明の目的は、満足した音量とともに演奏の音質を改善した、管楽器、特にハーモニカ用のコームを提供することにある。
【課題を解決するための手段】
【０００４】
この目的は、請求項１の特徴によって達成できる。
その結果、高い容量密度によって高い表面硬度を有する管楽器、特にハーモニカ用のコームが提供される。その結果、収縮した挙動および膨潤した挙動は、非常に少なくなる。高い表面硬度は、パワフルな音量に対する聞き取り易さに寄与する。本発明によれば、竹材によって得られる利点は、コームの高度の安定性に関連する。本発明によれば、コームの高度の安定性は、一緒に接着された薄く細長い片からなる構造によって実現できる。この薄く細長い片は、竹の茎から切り取られ、薄く細長い片の縦方向の寸法が、どのような場合でも、木目の方向の配列に従うように一緒に接合されている。
本発明のさらなる実施形態は、以下の説明および従属請求項によって導き出される。
本発明は、添付する図面に例示された実施形態を参照して、以下により詳細に説明される。
【図面の簡単な説明】
【０００５】
【図１】コームの概略図である。
【発明を実施するための形態】
【０００６】
本発明は、チャネルを形成する複数の空洞２を有する管楽器、特に、ハーモニカ用のコームに関する。このコーム１は、異なるサイズのコーム１用に、幅５、深さ７、および厚さ８が選択可能な寸法を有する。
コーム１は、一緒に接着された複数の薄く細長い片３から構成される。この薄く細長い片３は、縦方向の寸法４をコーム１の幅５に沿って延ばし、竹材から切断され、薄く細長い片３の縦方向の寸法４は、どのような場合でも、木目の方向の配列に従うように一緒に接合されている。
【０００７】
コーム１の構造的デザインは、竹竿からなるユニットとして、図１に見られる。
本発明によれば、極めて高度の安定性は、薄く細長い片３における選択された木目の方向により生じる。さらに、本発明によれば、音響技術的視点から、選択された木目の方向は、よりパワフルな音量を生成することが実証されている。
薄く細長い片３は、竿の形状で構成するのが好ましい。
【０００８】
さらに、薄く細長い片３は、どのような場合でも、コームの幅に適合した縦方向の寸法４を有するのが好ましい。
この目的を達成するために、薄く細長い片３を、竹材より切りとり、続いて平面に削る。削る際、緑色の外皮は取り除き、縦材の内側の青い部分のみを薄く細長い片用に用いる。
薄く細長い片３は、コーム１を形成するために、一緒に接合して層状に重ね合わるのが好ましい。
薄く細長い片３を、さらに水平に一緒に接着するのが好ましい。
【０００９】
さらに、薄く細長い片３を、圧力嵌合によって一緒に接着するのが好ましい。
コーム１の深さ７は、薄く細長い片３の三層より多くの層から構成されるのが好ましく、４〜６層から構成されるのが好ましい。
コーム１は、ラッカーで塗布されるのが好ましい。例えば、２成分のラッカーをラッカーとして用いることができる。
【図１】
2010231204.tif 000003
(57)【要約】【課題】スペースについて潜在的貸主層と潜在的利用者層の両方のニーズを広く十分に満たす仕組みがなかった。【解決手段】    インターネットによりスペースの貸主から登録の電子メールを受けた場合にこの電子メールを受信し、貸主が入力したスペース情報の内容を公開し、スペース利用者の予約受付を開始し、インターネットによりスペース利用者の予約を受けて利用内容を審査しスペース利用者に通知するとともに、スペース利用者からの予約を確定し、利用料を貸主に振込む手段を備えたことを特徴とするスペース利用システム。【選択図】なし【特許請求の範囲】
【請求項１】
インターネットによりスペースの貸主から登録の電子メールを受けた場合にこの電子メールを受信する受信手段と、貸主にＩＤパスワードを送信する送信手段と、貸主が入力したスペース情報を受信し受信した内容を貸主に確認する確認手段と、貸主がスペース情報の公開の申込を行う申込手段と、仲介者が貸主からのスペース情報の公開を行いスペース利用者の予約受付を開始する手段と、インターネットによりスペース利用者の予約を受けて利用内容を審査しスペース利用者に通知する通知手段と、スペース利用者からの予約を確定し、利用料の支払いを確認する確認手段と、利用料を貸主に振込む振込手段とを備えたスペース利用システム。
【請求項２】
スペース情報の公開後にこのスペース情報に基づきオークションを行う手段を備えた、請求項１記載のスペース利用システム。
【請求項３】
請求項２に記載のオークションを行う手段は、貸主側の端末装置とスペース利用希望者の端末装置とが、仲介者が利用するサーバ装置とインターネットにて接続されており、サーバ装置は貸主側の端末装置から送信された貸出希望スペースに関する情報と、スペース利用希望者側の端末装置から送信された入札情報とに基づいて、貸出スペースの取引処理を行うとともに、貸主が希望する利用料で落札された時点で、当該利用口分のオークションを停止又は終了する機能を有する、請求項１記載のスペース利用システム。
【発明の詳細な説明】
【技術分野】
【０００１】
本発明は、インターネットによるスペース利用システムに関するものである。
【背景技術】
【０００２】
経済不況のあおりを受けると、売却物件や賃貸物件、駐車場などの流動性や稼動率が悪化する。また不動産が売れない、貸店舗にテナントがつかない、大型店舗の進出で小売業者の商店街がシャッター街化した、あるいは店の売り上げが伸び悩むなどの問題が出てくる。このようにして、貸したいスペースをもっている潜在的貸主層が生じる。これに対して、色々な場所で営業したい、お金をかけずに開業したい、テスト販売してみたい、移動販売車で出店したい、発表や展示の場所が欲しい、新たな副業をしたいなど、スペースがあったら利用したい潜在的利用者層が存在する。今までは、これら潜在的貸主層と潜在的利用者層の両方のニーズを広く十分に満たす仕組みがなかった。
【発明の概要】
【発明が解決しようとする課題】
【０００３】
潜在的貸主層と潜在的利用者層が情報を交換し合うことができれば、家のガレージやコインパーキングなどのスペース、解体前のビルの一時的利用など、使えるのに使えていなかったスペース、建物の軒先、階段下など今まで貸し借りの対象外だったスペースの見直しを図り、スペースの貸し借りを行うことができる。
【課題を解決するための手段】
【０００４】
本発明は、インターネットによりスペースの貸主から登録の電子メールを受けた場合にこの電子メールを受信する受信手段と、貸主にＩＤパスワードを送信する送信手段と、貸主が入力したスペース情報を受信し受信した内容を貸主に確認する確認手段と、貸主がスペース情報の公開の申込を行う申込手段と、スペース情報の公開を行いスペース利用者の予約受付を開始する手段と、インターネットによりスペース利用者の予約を受けて利用内容を審査しスペース利用者に通知する通知手段と、スペース利用者からの予約を確定し、利用料の支払いを確認する確認手段と、利用料を貸主に振込む振込手段とを備えたスペース利用システムを特徴とする。
また、スペース情報に基づき利用料等のオークションを行うことをスペース利用システムのプログラマに組み込むことを特徴とする。
さらに、オークションを行う手段は、貸主側の端末装置とスペース利用希望者の端末装置とが、仲介者が利用するサーバ装置とインターネットにて接続されており、サーバ装置は貸主側の端末装置から送信された貸出希望スペースに関する情報と、スペース利用希望者側の端末装置から送信された入札情報とに基づいて、貸出スペースの取引処理を行うとともに、貸主が希望する利用料で落札された時点で、当該利用口分のオークションを停止又は終了する機能を有する。
【０００５】
本発明において「スペース」とは、自宅の使っていない駐車場、車庫、ビルや建物の軒先、コインパーキングや月極め駐車場の空きスペース、あるいは、買い手がつくまでの間の売土地、テナントがつくまでの間の貸店舗、営業時間外や定休日の店舗スペースなどが例示される。
【発明の効果】
【０００６】
インターネットを介して、空きスペースの利用に関わる取引を、貸主、利用者の希望価額で入札することができる。これにより、取引成立性の向上を図ると同時に、高額落札の確立を与えることを可能にする。
スペースの貸主は直ぐに現金収入があり、本業のほかに副収入を得ることができ、収入面で相乗効果がある。未使用だったスペースを有効利用でき商店街などの地域の活性化に貢献できる。貸主は貸し出すスペースの情報や写真などを自分で作成できるため、貸し出す料金や時間、日数などを設定することができる。利用者はＷＥＢでスペースの情報を自由に閲覧でき常時予約申込ができる。スペースの情報は審査により正確を期すことができる。利用料の支払い、振込みは、直接金銭の受け渡しがないので、簡単、便利、安心である。スペースを借りることで、ビジネスチャンスの増加、企業のきっかけ作り、機動的な活動範囲の拡大が見込める。これにより、過疎地の賑わいを復活し、渋滞を緩和するなど地域に貢献でき、新たなビジネスシーズ創出により経済の活性化が期待される。
【発明を実施するための形態】
【０００７】
事例１
貸主は仲介者のホームページにアクセスして貸主の情報を登録した。貸主は店先部分を店舗の営業時間および定休日に物品販売スペースとして貸し出すという情報を仲介者のホームページに電子メールした。仲介者は電子メールの情報を審査しホームページ上で公開した。この情報を見たスペース利用者の通信手段による予約を受けた仲介者は利用内容を審査し、スペース利用者に通知するとともに、予約を確定し利用料の請求を行い、利用料の支払いを確認後、貸主に振込んだ。貸主は店先部分を利用者に貸し出した。
【０００８】
事例２
売却予定の空きビル玄関部分をビルの買手が付くまでの間、物品販売スペースとして貸し出すという条件を仲介者のホームページ上にのせたところ、複数の利用希望者があった。そこで、利用料についてオークションを行った。前記と同様の手順を経て貸主と利用者のニーズが満たされた。
【０００９】
事例３
貸主は稼働率の悪いコインパーキングを貸出したい旨を仲介者のホームページ上で公開した。複数の利用希望者があったので、利用料、利用形態を審査した。利用希望者のうちランチタイムのみ移動販売車の出店場所として利用する条件で、貸主と利用者の交渉が成立した。
(57)【要約】      （修正有）【課題】国際標準品のＥ１２口金を有する省エネルギーランプをＥ１７受金照明器具に取り付け可能とするアダプタの提供。【解決手段】Ｅ１７口金にＥ１２受金を挿入し，Ｅ１７口金とＥ１２受金を溶接等で電気的に接合する。Ｅ１７口金中心部外側先端とＥ１２受金の内側中心部に金属棒等を挿入し溶接等で電気的に接合する手段によって容易に安価に製造出来る。【選択図】図１
2010225566.tif 000002
【特許請求の範囲】
【請求項１】
Ｅ１７受金を有する照明器具にＥ１２口金を有するランプの取り付けを可能とするＥ１７口金とＥ１２受金と金属棒等の組み合わせで制作出来る簡素なコスト低減を特徴とするＥ１７／Ｅ１２アダプタ。
【発明の詳細な説明】
【技術分野】
【０００１】本発明は、Ｅ１２口金を有する電球をＥ１７受金に取り付けるアダプタに関するものである。
【背景技術】
【０００２】電球型蛍光灯やＬＥＤのような省エネルギーランプの口金サイズは世界的にはＥ１２とＥ２６である。しかし日本ではＥ１７受金を有する照明器具が多く使われている。照明ランプのほとんどが中国をはじめとする東南アジアで生産されていることから，日本向けのＥ１７口金のランプは世界標準よりも技術開発が遅れており，性能も悪く，コストも３倍以上である。本発明品は安価に製造出来ることから，Ｅ１２口金ランプと組み合わせることにより，省エネルギー効果の大きいＥ１２口金ランプをＥ１７受金照明器具に容易に利用できるようになる。省エネルギーランプは従来のエジソン電球や蛍光灯の４０％以下から５％のエネルギーで従来と同じ照明効果が得られる。すなわち６０％から９５％のエネルギーカットが可能である。したがって，地球温暖化防止にも大きき貢献となる。この発明の意義は大きい。また，これまでに本発明のＥ１７／Ｅ１２口金変換ソケットアダプタは生産されていない。
【図面の簡単な説明】
【０００３】
【図１】図１は、本発明の全体図である。２のＥ１７口金に３のＥ１２受金を挿入し，Ｅ１７口金とＥ１２受金の中央の穴あき部に４の金属棒を差し込み，電気的に接合を行い，その先端をＥ１７口金の先端中心になるように配置する。またＥ１７口金とＥ１２受金を１のように金属等の溶接等により電気的に接続するようにする。これらをＥ１７受金を有する照明器具に使用することでＥ１２受金に差し込まれたＥ１２口金を有するランプにＥ１７受金から電気エネルギーが供給される。２重になった受金と口金の上部空間部分には，水やゴミが入り込まないように接着剤等で必要に応じてシール等をおこなう。
【符号の説明】
【００２３】１  溶接２  Ｅ１７口金３  Ｅ１２受金４  金属棒５  溶接
【図１】
2010225566.tif 000003
(57)【要約】【課題】従来のＬＥＤ光源蛍光灯の実用性を上げる為に、より効率的に光源の拡散を可能とするＬＥＤ光源蛍光灯用高効率拡散チューブを提供する。【解決手段】ＬＥＤ光源蛍光灯のチューブ（カバー）（１−Ａ／Ｂ）として、（１−Ａ）の軸方向、または円周方向に対し、線状の細かい凹凸を設けたチューブ、または、乳白色タイプのチューブ（１−Ｂ）を採用した高効率拡散ＬＥＤ光源蛍光灯を特徴とする。【選択図】図１
2010225567.tif 000002
【特許請求の範囲】
【請求項１】
チューブの軸方向、または円周方向に線状の細かい凹凸を設けたチューブ、または乳白色チューブを採用した高効率拡散ＬＥＤ光源蛍光灯。
【発明の詳細な説明】
【技術分野】
【０００１】照射角の乏しいＬＥＤ光源蛍光灯を効率よく拡散し、光源量を無駄なく発揮させるＬＥＤ光源蛍光灯用高効率拡散チューブである。
【背景技術】
【０００２】従来の透明チューブを採用したＬＥＤ光源蛍光灯は、基盤に平面線状に並べられたＬＥＤ光源の為に、ＬＥＤ自体の拡散範囲のみの照射範囲であった。
【発明の開示】
【発明が解決しようとする課題】
【０００３】これは、次のような欠点があった。
従来の蛍光灯は３６０度満遍なく照射し、輝度に関しても、実用性があったが、ＬＥＤ自体の照射角は制限されている為に、広範囲照射に乏しく実用性に欠けていた。
また、ＬＥＤの特性上、一方方向（下方向）への照射しか出来ない為にとくに採用するチューブが透明カバーでは、器具への光源からの反射が少なく使用しても暗く感じてしまうものであった。
本発明は、以上のような欠点を限りなく無くす為になされたものである。
【課題を解決するための手段】
【０００４】ＬＥＤ光源蛍光灯のチューブ（カバー）（１−Ａ／Ｂ）として（１−Ａ）の軸方向、または円周方向に対し、線状の細かい凹凸を設けたチューブ、または、乳白色タイプ（１−Ｂ）のチューブを採用する。
【発明の効果】
【０００５】光源からの光が通過するチューブに線状の細かい凹凸、または乳白色チューブを採用することで、照射光が拡散、乱反射し、ＬＥＤの拡散範囲以上の照射を可能とする。
【図面の簡単な説明】
【０００６】
【図１】本発明の断面図である。
【図２】本発明の側面図である。
【発明を実施するための形態】
【０００７】以下、本発明を実施する為の最良の形態について説明する。
線状チューブ（１−Ａ）または乳白色チューブ（１−Ｂ）の中にＬＥＤを線状に列した基盤（２）、電源基盤（３）を装着する。
チューブの両端にＬＥＤ基盤、電源基盤から来る導線に２芯の取付部（キャップ）を設ける。
本発明は以上のような構造である。
取付に当たっては、従来の蛍光灯と同様に取付ければ良い。
【実施例】
【０００８】電源基盤の装着としては、チューブの外部に電源を設ける場合も含む。
キャップの２芯式についてはその他１芯式等の取付様式も含む。
【産業上の利用可能性】
【０００９】環境問題対策の中、Ｃｏ２削減、水銀無使用等の特性を持つＬＥＤ光源蛍光灯は、次世代照明として利用されつつあるが、本発明により、広範囲での照射が可能になれば、より実用性のあるものとして受け入れられていく可能性がある。
【符号の説明】
【００１０】  （１−Ａ）ＬＥＤ光源蛍光灯の線状チューブ
（１−Ｂ）ＬＥＤ光源蛍光灯の乳白色チューブ
（２）ＬＥＤ基盤（光源）
（３）電源基盤
【図１】
2010225567.tif 000003
【図２】
2010225567.tif 000004
(57)【要約】【課題】  冷えているときはセットが容易なように隙間があるが、使用時に温度が上がった際は、熱膨張を利用し自動的に被加熱物にヒーターが密着し、効率よく過熱する方法を提供する。【解決手段】  ヒーターのシースに、熱膨張によりお互いに反対方向に延びるように、固定点を相反する側に設け、かつ接触面に傾斜を持たせることにより軸方向の変位が膨張と直角方向の変位に変えることができる金具を取り付け、金具自身が温度上昇することにより自動的に密着させることができ、かつ冷却することにより離れる。【選択図】図１
2010225490.tif 000002
【特許請求の範囲】
【請求項１】
熱膨張を利用して、ヒーターを被加熱物に密着させる方法。
【請求項２】
コンパクトなスペースで、熱膨張を利用してヒーターを被加熱物に密着させる方法。
【請求項３】
熱膨張を利用してヒーターを密着させる変位量を倍増させる方法。
【発明の詳細な説明】
【技術分野】
【０００１】
本発明は、ヒーターの熱膨張を利用し、被加熱物に密着させ、伝熱効率を高める構造に関するものである。
【背景技術】
【０００２】
ヒーターを、被加熱物に密着させ、効率よく熱を伝えようとすると、金具で固定するか伝熱セメントを用いて固定する方法が一般的である。しかし円管や角管の外を流体が通過し、流体を円管や角管を介して加熱しようとした場合、管内に挿入するスペースが必要なためそのギャップが熱抵抗になり、熱を効率的に伝えることが難しい。大きな管であれば内部に金具等で施工することも可能であるが、細い管の場合はこのような施工が困難であり伝熱効率の悪い加熱方法をとらざるを得ない。
【発明の概要】
【発明が解決しようとする課題】
【０００３】
以上に述べた従来技術では、細い管内にヒーターを挿入し、密着させることは、挿入のためのギャップを確保しなければならないため、困難であった。
【０００４】
挿入のためのギャップを確保すれば、管とのギャップが生じ、効率よく伝熱することが困難であった。
【０００５】
効率よく伝熱させるためには、金具で押さえつけ、密着させるか熱伝導の良い伝熱セメントで非加熱物に固定する方法が一般的に用いられるが、施工できるサイズに限界があり、直径２００ｍｍ以下の配管内部に施工する場合は、これらの施工が困難である。
本発明は、上記の問題点を解決するために、ヒーターを挿入した後で施工しなくても、管内に密着し、熱効率のよい伝熱を確保するヒーター構造を提供することを目的とする。
【課題を解決するための手段】
【０００６】
請求項１の発明は、ヒーターをＵ字に曲げ、管内に挿入して熱膨張により軸方向のスライド金具の伸びを利用して、伸びと直角方向に変位を発生させ、管内に密着させる方法である。シース表面に斜めにカットした２個のスライド金具を対抗して相反する位置をヒーターに溶接固定し、金具の伸び方向がお互いに相反するようにし、熱膨張による伸びが傾斜に沿って進むことにより伸びと直角方向に移動することを利用し、挿入時に必要であったギャップをなくして管内に密着させる方法である。このことにより、複雑な機構なしにヒーターの温度が上がると、ヒーター表面に取り付けた金具の熱膨張により、自動的にヒーターが管内に密着し、効率のよい加熱が可能となる。また、冷却した際には収縮し、ギャップを確保するため引き抜きも容易になりメンテナンスも可能となる方法。
一例として金具の長さを１５０ｍｍとし、ステンレスの線膨張係数を１６．７×１０−６／℃、温度を５００℃にあげたとき、１６．７×１０−６×５００×１５０＝１．２５ｍｍ熱膨張する。金具の傾斜を４５度で製作すれば、１．２５ｍｍの伸びを、ヒーターを広げおしつけ方向に１．２５ｍｍ変位させることが可能となる。傾斜角度が４５度以下の場合すべりが生じ、伸びがヒーター間の距離を開き、密着させるように作用する。従って１５０ｍｍの金具を使用すれば１．２５ｍｍのギャップまで許容できることになり、それ以上長ければそれ以上のギャップが許容できる。
【０００７】
請求項２の発明は、ヒーターのスパンが短く、スライド金具で４５度の傾斜をとった場合、スライド金具の長さが短く、変位量を確保できない。予想される変位量より大きめのスライドエリアを局所的に両端に設けることにより、短いスライド金具で効率的に変位を得ることができる方法。
【０００８】
請求項３の発明は、スライド金具を、並列に配置する場合はスライド金具１個の変位量しか取れないが、連続して配置することにより、変位量を倍増することを特長とする方法。
【０００９】
請求項１、２、３、に記載の発明によれば、ヒーターを挿入時、引き抜き時にギャップを確保し、メンテナンスが容易であるが、通電により温度が上昇するとともに、管内に密着し熱を効率よく伝えることができる。
【図面の簡単な説明】
【００１０】
【図１】ヒーターの流体加熱図
【図２】変位の発生する基本図
【図３】変位する距離のスライド機構図
【図４】倍の変位を確保する構造図
【発明を実施するための形態】
【００１１】
本発明の一例として、パイプの内壁にヒーターを密着させる構造について説明する。
図１はヒーターを円管、又は角管に内挿して、管外の流体を加熱するシステムである。
ヒーターと傾斜を持つスライド金具で構成される。
【００１２】
図２上段は通電前の状態で、スライド金具がニュートラルな位置にある状態を示す。下段は熱膨張により、金具が軸方向に延び、傾斜に沿ってスライドした金具がヒーターを上下に押し上げた状態を示す。このことにより管内に密着する。下段は変位後の状態を示す。
【００１３】
図３上段は同様に、両端の部分だけ傾斜部を持ち、局所的にスライド金具の機能を持たせ、短いスライド金具で効率よく変位量を確保できる。下段は変位後の状態を示す。
【００１４】
図４上段は同様に、スライド金具個々の伸びを加算し、ストロークを倍増させる金具の配置を示す。この方法によれば、図２、図３の方法の２倍の変位量を得ることが可能である。下段は変位後の状態を示す。
【符号の説明】
【００１５】
１、ヒーター
２、スライド金具Ａ
３、溶接固定箇所
４、スライド金具Ｂ
５、スライド金具Ｃ
６、円管
７、角管
８、被加熱物流体
【図１】
2010225490.tif 000003
【図２】
2010225490.tif 000004
【図３】
2010225490.tif 000005
【図４】
2010225490.tif 000006
(57)【要約】【課題】  マダニを簡単に捕獲する粘着テープを提供する。【解決手段】  地面に対し平行になるように壁の側面に沿って両面テープ４側が下に来るように貼り付ける。両面剥離紙３の上側は片面剥離紙２になっており、片面剥離紙２の非剥離面側は両面テープ４の上側に接着され、両面剥離紙３を繋ぎ止め、両面剥離紙３を起こす事により埃や雨などから両面テープ４を守る構造となっている。更に両面剥離紙３によって大きいマダニは進行を阻まれ両面テープ４の粘着部分から身動きが取れなくなる。【選択図】図１
2010099056.tif 000002
【特許請求の範囲】
【請求項１】
粘着面をテープ状にする事で、壁の側面等に一直線に貼れ、トラップ範囲を広げる事ができるマダニ取り粘着テープ
【請求項２】
両面剥離紙３の上側が片面剥離紙２になっており、片面剥離紙２の非剥離面側は両面テープ４の上側に接着し、両面剥離紙３を繋ぎ止め、両面剥離紙３を起こす事により埃や雨などから両面テープ４を守る構造にした請求項１記載のマダニ取り粘着テープ
【発明の詳細な説明】
【技術分野】
【０００１】  本考案はマダニを捕獲し駆除する分野に含まれる。
【背景技術】
【０００２】  現状ではマダニを駆除するのは難しく、犬にマダニ避けの薬品などを振りかけたり、ピンセットなどで直接捕獲し駆除するなどの対処がされている。
【発明の開示】
【発明が解決しようとする課題】
【０００３】  マダニを簡単に捕獲する粘着テープを提供する。
【課題を解決する為の手段】
【０００４】  地面に対し平行になるように壁の側面に沿って両面テープ４側が下になるように貼り付ける。両面剥離紙３の上側は片面剥離紙２になっており、片面剥離紙２の非剥離面側は両面テープ４の上側に接着され、両面剥離紙３を繋ぎ止め、両面剥離紙３を起こす事により埃や雨などから両面テープ４を守る構造となっている。更に両面剥離紙３によって大きいマダニは進行を阻まれ両面テープ４の粘着部分から身動きが取れなくなる。
【発明の効果】
【０００５】  マダニは寄生主を探す際、または吸血後に壁など高い場所を這いまわる習性がある。その為、壁の側面等にマダニ取り粘着テープ１を接着しておくだけで、簡単に罠に引っかかる。特に犬小屋側面上部の壁、周辺の壁、家の玄関の下、壁側面の隅などに貼り付けると非常に効果的である。
【０００６】  また、テープ状のため、壁に沿って真横一直線に貼る事で罠範囲を広げ、一斉に駆除する事ができる。
【０００７】  特にマダニが多い場合は、両面剥離紙３を両面テープ４から剥がす事で壁の上部から這い回ってくるマダニを捕獲する事ができる。
【発明を実地する為の最良の形態】
【０００８】  地面に対し平行になるように壁の側面に沿って両面テープ４側が下に来るように貼り付ける。両面剥離紙３の上側は片面剥離紙２になっており、片面剥離紙２の非剥離面側は両面テープ４の上側に接着され、両面剥離紙３を繋ぎ止め、両面剥離紙３を起こす事により埃や雨などから両面テープ４を守る構造となっている。更に両面剥離紙３によって大きいマダニは進行を阻まれ両面テープ４の粘着部分から身動きが取れなくなる。
【図面の簡単な説明】
【０００９】
【図１】  マダニ取りテープを示した平面図である。
【符号の説明】
【００１０】１マダニ取り粘着テープ本体
２片面剥離紙
３両面剥離紙
４両面テープ
５テープ芯
【図１】
2010099056.tif 000003
(57)【要約】      （修正有）【課題】砂・小石等を敷いているため美感が無い、水槽の水も早く汚れが目立つ、綺麗にするため、重い砂等洗うのが大変。【解決手段】人工芝は、化繊（ビニ−ル類）で製作する。人工芝は、松葉藺草を、参考に、又、ヘア−グラスも参考にし製作する。鑑賞魚用水槽にグリ−ンの人工芝が入ると綺麗で美感があり、そこに、好きな魚を入れ、鑑賞すると、仕事の疲れが、吹っ飛び、気持ちが和み安堵感を楽しめ、生きがいを感じる。尚、金魚などの土を口で掘る魚には人工芝でないと駄目。実物の様に土に生えた草は堀り返すと駄目になる。【選択図】図１
2010099055.tif 000002
【特許請求の範囲】
【請求項１】
鑑賞魚用水槽底敷き、現在は、砂、鑑賞用砂が販売されている、砂には、見た目涼感が無い、そこで、発明の人工芝を敷き、水を入れると、凄く、涼感があり、水があるだけで見ていると気持が和む、それに好きな鑑賞魚を入れると綺麗で一石二鳥である。（芝の色は、若草色）
【請求項２】
鑑賞魚用水槽底敷きは、水槽大小各大きさに合った敷き用人工芝を作る。
【請求項３】
鑑賞魚用水槽の水が少々濁っていてもグリ−ンの人工芝が有ると綺麗に見える、水替える日日が延び、水の節約になり手間もはぶける、一石二鳥になる。
【請求項４】
発明の鑑賞魚用水槽底敷き芝が汚れても、芝を取出し簡単に水で洗い流せる、手間・水の節約が出き、一石二鳥になる。
【請求項５】
敷き芝は、松葉藺草を参考（基本）に、また、ヘア−グラス等も参考にし作製する。
【発明の詳細な説明】
【発明の詳細な説明】
【発明が解決しようとする課題】
鑑賞用水槽に現在は、砂・小石を敷いていますが、涼感がなく・美感も無い、水も汚れが早く目立つ、砂・小石は洗うのが手間がかかる、そのため、水も沢山必要になる、簡単に綺麗にならない問題がある。
【課題解決するための手段】
発明の鑑賞用水槽用人工芝が入ると、水槽が何時までも綺麗で、水と若草色のグリ−ンを見るだけで、気持ちが和むため。
発明の人工芝は、化繊（ビニ−ル類）で製作する。
【発明を解決するための手段】
発明の人工芝は、化繊（ビニ−ル類）で製作する。
松葉藺草、本物は直計１ｍｍ位、高さ５ｃｍ位の草を参考に、各種水槽に合う（９０ｃｍ・６０ｃｍ・３０ｃｍ用等）底敷人工芝を作る。
【発明の効果】
鑑賞魚用水槽にグリ−ンの人工芝を敷き、それに、好きな魚が入った水槽を鑑賞すると、仕事の疲れが、吹っ飛び気持ちが和み安堵感を楽しむことが出来る。
好きな魚に餌をやりながら、話し掛けたり楽しめる。
水槽の水が少々濁っていても、グリ−ンの人工芝が有るため何時までも綺麗に見える。
水を替える日日が延び、水の節約になり手間もはぶける、そして水洗いが簡単で一石三鳥になる。
特に、海水魚の水槽には、緑色が無く見栄えがしない、それで人工芝を小さく切り模造岩などに附けセッテングすると見栄えがする。
尚、熱帯魚の水槽にも同様に使用すると良い。
【図面の簡単な説明】
【図１】  実物の松葉藺草（基本）これに似た人工芝  水槽の中で繁殖した状態の絵
【図２】  実物の松葉藺草  １株の絵
【図３】  人工芝を水槽に敷いた図
【図１】
2010099055.tif 000003
【図２】
2010099055.tif 000004
【図３】
2010099055.tif 000005
(57)【要約】【課題】  バラバラに分解し易い構造に加工したり、喉に詰まりにくい形状に加工する事で、こんにゃくゼリーの窒息事故を防止する。【解決手段】  予めバラバラに切り刻んでおいたり、分解し易く束ねたり巻いたり、喉に詰まりにくい流線形や薄く細長い形状に加工する事で、喉の中を滑って息道に詰まりにくくする。【選択図】              図2
2010099034.tif 000002
【特許請求の範囲】
【請求項１】
こんにゃくゼリー1を細かく切り刻む事で、口や喉の中で押し潰されて簡単にバラバラに分解される構造。
【請求項２】
こんにゃくゼリー1を細かく切り刻む際に、完全に切断してしまわずに、食べるまではバラバラにならないよう、あえて一部を切らずに全体をつなげておく切断方法。
【請求項３】
こんにゃくゼリー2を薄い板状に加工する事で、口や喉の中で息道を塞ぎにくくする形状。
【請求項４】
こんにゃくゼリー3を細長い棒状に加工する事で、息道を塞がずに簡単に口や喉の中を流れ落ちていく形状。
【請求項５】
数本の細長い棒状のこんにゃくゼリー4を、１枚の薄い板状のこんにゃくゼリー5で束ねて一体化する事で、口や喉の中でバラバラに分解され易くする工夫。
【請求項６】
１本の肉厚のこんにゃくゼリーのパイプ6に、１本の太い棒状のこんにゃくゼリー7を通して一体化する事で、口や喉の中でバラバラに分解され易くする工夫。
【請求項７】
こんにゃくゼリー8の形状をラグビーボールのような流線形に加工する事で、喉の中を滑って息道に詰まりにくくした形状。
【請求項８】
こんにゃくゼリー9の形状をひょうたん型のような曲線形に加工する事で、喉の中を滑って息道に詰まりにくくした形状。
【発明の詳細な説明】
【技術分野】
【０００１】
本発明は、弾力性の高いこんにゃくゼリーと柔らかい寒天ゼリーの、食べ易さと窒息事故防止に関するものである。
【背景技術】
【０００２】
従来のこんにゃくゼリーは弾力性があって潰れにくい反面、立方体に近い柱体の形状であり、サイズも大きいので、噛まずにそのまま飲み込むと喉に詰まる危険性があった。
【０００３】
この改善策として、こんにゃくゼリーがバラバラに分解し易い構造に加工したり、喉に詰まりにくい形状に加工すれば、窒息事故を起さない食べ易い食品になる。
【発明の開示】
【発明が解決しようとする課題】
【０００４】
解決しようとする問題点は、噛まずにそのまま飲み込むと喉に詰まる危険性である。
【課題を解決するための手段】
【０００５】
本発明は、書面の弾力性の高いこんにゃくゼリーを、バラバラに分解し易い構造に加工したり、喉に詰まりにくい形状に加工する。
【発明の効果】
【０００６】
本発明の弾力性の高いこんにゃくゼリーの加工法は、バラバラに分解し易く、喉に詰まりにくいので、食べ易くて窒息事故を起さない。
【発明を実施するための最良の形態】
【０００７】
バラバラに分解し易い構造に加工したり、喉に詰まりにくい形状に加工する事で、息道を塞がずに簡単に口や喉の中を流れ落ちていく流動性を実現した。
【実施例１】
【０００８】
図１は、本発明の１実施例として、細かく切り刻む際に、完全に切断してしまわずに、食べるまではバラバラにならないよう、あえて一部を切らずに全体をつなげておく切断方法を示した図である。
【実施例２】
【０００９】
図２は、本発明のバラバラに分解し易い構造の加工と、喉に詰まりにくい形状の加工を説明した図である。
【産業上の利用可能性】
【００１０】
本発明は、弾力性の有無を問わず、あらゆる固体ゲル型のゼリー食品に応用する事で、貧困飢餓に苦しむ世界中の衰弱した子供達にも安心して、常温で長期保存できる栄養価の高いゼリー食料を配給する事ができる。
【図面の簡単な説明】
【００１１】
【図１】弾力性の高いこんにゃくゼリーを切り刻む際に、その一部がつながったままにする加工方法を示した説明図である。（実施例1）
【図２】バラバラに分解され易い構造の加工や、喉に詰まりにくい形状の加工を示した説明図である。（実施例2）
【符号の説明】
【００１２】
1   細かく切り刻む事で、口や喉の中で押し潰されて簡単にバラバラに分解される構造のこんにゃくゼリー
2   薄い板状に加工する事で、口や喉の中で息道を塞ぎにくくする形状のこんにゃくゼリー
3   細長い棒状に加工する事で、息道を塞がずに簡単に口や喉の中を流れ落ちていく形状のこんにゃくゼリー
4   数本の細長い棒状のこんにゃくゼリー
5   １枚の薄い板状のこんにゃくゼリー
6   １本の肉厚のこんにゃくゼリーのパイプ
7   １本の太い棒状のこんにゃくゼリー
8   ラグビーボールのような流線形に加工したこんにゃくゼリー
9   ひょうたん型のような曲線形に加工したこんにゃくゼリー
【図１】
2010099034.tif 000003
【図２】
2010099034.tif 000004
(57)【要約】      （修正有）【課題】バイオエタノールの製造方法として、セルロースを酵素糖化させて得た糖を発酵させてエタノールを得る方法等が知られているが、これらはバイオマスから直接エタノールを得るものではなく、複数の工程を要するため、バイオマスから直接エタノールを効率よく得る方法を提供する。【解決手段】葛の茎と葛根とグルコースと麹とからなる混合物を発酵させてエタノールを得る、エタノールの製造方法である。混合物はスラリー状であることが好ましい。麹に代えて麹に含まれる発酵菌や酵素が用いられてもよい。発酵用に酵母（イースト）が用いられてもよい。混合物には葛の葉が含まれていてもよい。【選択図】なし【特許請求の範囲】
【請求項１】
葛の茎と葛根とグルコースとを含む発酵母体を発酵させることを特徴とするエタノールの製造方法。
【請求項２】
葛の茎と葛根とグルコースとを含む発酵母体を発酵させてなる酒。
【請求項３】
葛の茎と葛根とグルコースとを含む発酵母体を発酵させてなる発酵物の残渣からなる肥料。
【請求項４】
葛の茎と葛根とグルコースとを含む発酵母体を発酵させてなる発酵物の残渣からなる飼料。
【発明の詳細な説明】
【技術分野】
【０００１】
本発明は、エタノールの製造方法に関する。
【背景技術】
【０００２】
バイオエタノールの製造方法として、例えば、バイオマスの水スラリーを圧力４〜４０ＭＰａに加圧し、加圧された水スラリーを火力発電装置のボイラから供給される蒸気と反応器内で熱交換させることにより前記圧力での飽和温度以下かつ２５０〜４００℃の範囲の温度に加熱して前記バイオマスに含有されるヘミセルロースおよびセルロースを加水分解して糖を生成し、生成された糖を発酵させるエタノールの製造方法が知られている。（例えば、特許文献１参照）また、セルロースを酵素糖化させて得た糖を発酵させてエタノールを得る方法が知られている。（例えば、特許文献２参照）
これらはバイオマスから直接エタノールを得るものではなく、複数の工程を要する。
【特許文献１】特開２００８−１８２９２５号公報
【特許文献２】特開２００８−１６１１２５号公報
【発明の開示】
【発明が解決しようとする課題】
【０００３】
本発明の目的は、バイオマスから直接エタノールを効率よく得る方法を提供しようとすることである。
【課題を解決するための手段】
【０００４】
本発明の要旨とするところは、葛の茎と葛根とグルコースとを含む発酵母体を発酵させることを特徴とするアルコールの製造方法であることにある。
【０００５】
また、本発明の要旨とするところは、葛の茎と葛根とグルコースとを含む発酵母体を発酵させてなる酒であることにある。
【０００６】
さらに、本発明の要旨とするところは、葛の茎と葛根とグルコースとを含む発酵母体を発酵させてなる発酵物の残渣からなる肥料であることにある。
【０００７】
またさらに、本発明の要旨とするところは、葛の茎と葛根とグルコースとを含む発酵母体を発酵させてなる発酵物の残渣からなる飼料であることにある。
【発明の効果】
【０００８】
本発明によると、バイオマスから直接エタノールを効率よく得る方法が提供される。
【発明を実施するための最良の形態】
【０００９】
本発明は、発酵母体として葛を用い発酵させるエタノールの製造方法である。
【００１０】
詳しくは、葛の茎と葛根とグルコースと麹とからなる混合物を発酵させてエタノールを得る、エタノールの製造方法である。混合物はスラリー状であることが好ましい。麹に代えて麹に含まれる発酵菌や酵素が用いられてもよい。発酵用に酵母（イースト）が用いられてもよい。混合物には葛の葉が含まれていてもよい。
【００１１】
この混合物は水２０００重量部に対して、葛の茎（葉付き）５００〜１３００乾燥重量部、葛根５０〜２００重量部、グルコース２００〜４００重量部、米麹１００〜２００重量部、パン酵母１０〜３０重量部を含むことが好ましい。
【００１２】
本発明のエタノールの製造方法においては、葛の茎と葛根とグルコースとからなる発酵母体に水を加えた原料スラリーを、殺菌のため８０〜１００℃に加熱したのち３５℃以下に冷却し、麹やイーストを加えて好ましくは３０〜３６℃で３日間ほど発酵させることが好ましい。あるいは、熱水に葛の茎と葛根とグルコースとを加えた後冷却してなる原料スラリーを、麹や酵母を加えて好ましくは３０〜３６℃で３日間ほど発酵させることが好ましい。発酵母体には他の種類のデンプンなどが添加されてもよい。
【００１３】
本発明により、エタノールを効率よく製造できる。この液は精製して酒として飲用できる。
【００１４】
原料スラリーは例えば葛の葉付きの茎を０．５〜５ｍｍに粉砕して葛根粉とグルコースと水を加えて得ることができる。
【００１５】
また、発酵後のスラリー（発酵物）の残渣（搾りかす）は植木用に肥料として用いると、植木が普通の植木より輝いて見える。
【００１６】
また、発酵後のスラリー（発酵物）の残渣（搾りかす）は牛馬等の家畜が好んで食する飼料として用いることができる。
【００１７】
本発明において用いられる麹としては、米麹のほかに麦麹、豆麹、蘇鉄麹、黒麹など各種の麹が挙げられる。麹に代えてビールの絞りかすや葡萄酒の絞りかすや焼酎の絞りかす、あるいはこれらに含まれる発酵菌や酵素を用いることができる。
【実施例１】
【００１８】
葉付きの葛の茎を自然乾燥後５ｍｍほどに粉砕した粉砕物９００ｇ、グルコース２５０ｇ、葛根粉１００ｇを２リットルの水に投入し攪拌し原料スラリーを得た。この原料スラリーを９０℃に加熱後３３℃まで自然冷却したのち、米麹１５０ｇ、パン酵母２０ｇをこの原料スラリーに加えスラリーとしたのち、３３℃で３日間発酵させた。発酵後のスラリーを搾って１．６リットルの液を得た。この液のアルコール濃度をＡＴＡＧＯ社製のアルコール濃度測定器（ＰＥＴ−１０９）で測定したところ１１．４ｗｔ％であった。この液を蒸留精製して得た水溶液は酒として良好かつ独特の風味があり飲用可能であった。発酵後のスラリーの搾りかすは馬、牛の餌として好適に使用できた。また、発酵後のスラリーの搾りかすをさざんかに施肥したところ、１週間後通常のさざんかに比べて葉につやがあり輝いて見えた。
【００１９】
発酵後のスラリーを搾って得た１．６リットルの液のうち１．２リットルに水２．３リットルを加えて蒸留用液Ａとした。蒸留用液Ａの比重（ｄ２０）は０．９８５であった。この蒸留用液Ａのうち３２３２ｇに精製水７６８ｇを加えた４０００ｇの蒸留用液Ｂを減圧蒸留し、さらに膜分離して１１３．８ｇのエタノールを得た。
【００２０】
［比較例］
グルコース２５０ｇ、葛根粉１００ｇを２リットルの水に投入し攪拌し原料スラリーを得た。この原料スラリーを９０℃に加熱後３３℃まで自然冷却したのち、米麹１５０ｇ、パンイースト２０ｇをこの原料スラリーに加えスラリーとしたのち、３３℃で３日間発酵させた。発酵後のスラリーから汲み上げて採取した液のアルコール濃度をＡＴＡＧＯ社製のアルコール濃度測定器（ＰＥＴ−１０９）で測定したところ１０．８ｗｔ％であった。
【００２１】
その他、本発明は、主旨を逸脱しない範囲で当業者の知識に基づき種々なる改良、修正、変更を加えた態様で実施できるものである。